(57)【特許請求の範囲】
【請求項１】
軸部と、この軸部に一体に形成されたフランジと、前記軸部とは反対側のフランジ面に形成された溶着用突起を備えた軸状部品が電気抵抗溶接の対象となるものであって、
円筒状の電極本体の先端部に蓋部材が設けられ、この蓋部材に前記電極本体の直径よりも小径とされた円筒状の筒状加圧部材が前記蓋部材の端面から突出した状態で結合され、前記蓋部材に対する前記筒状加圧部材の前記結合は、蓋部材に設けたテーパ孔内に筒状加圧部材に設けたテーパ部を圧入する圧入構造かまたは筒状加圧部材を蓋部材にねじ込んだねじ込み構造によって行われ、
電極本体の内側に合成樹脂材料製のガイド筒が挿入され、このガイド筒にその円周方向に冷却水の冷却通路をガイド筒の長さ方向で見た中央部よりも筒状加圧部材側に片寄せて配置し、前記ガイド筒に大径孔とこれに連通する小径孔が形成してあり、前記軸部を受け止めるストッパ部材が前記大径孔の内面に対して摺動する円柱形の主部材と、前記小径孔に進入しているとともに、軸部の端部を受け止める副部材によって構成され、主部材内に永久磁石が埋設されており、
前記筒状加圧部材の先端面が前記フランジに密着する電極端面とされ、この電極端面の中央部に前記軸部が挿入される受入孔が形成され、前記筒状加圧部材の外周部に空間中に露出している放熱部が設けられ、前記受入孔は一端がガイド筒の小径孔に連通し、他端が前記電極端面に開口しており、前記電極端面の直径は前記フランジの直径と同じかあるいは電極端面の方がわずかに大きく設定され、
前記電極本体の直径と筒状加圧部材の直径の径差や筒状加圧部材の突出長さが、鋼板部品に形成された屈曲部の縦向き板の間際に前記軸部を起立させたり、断面コ字型の鋼板部品の底部に前記溶着用突起を溶着させたりすることができるように設定されていることを特徴とする筒状加圧部材を備えた電気抵抗溶接の電極。
【発明の詳細な説明】
【技術分野】
【０００１】  この発明は、軸状部品の軸部が電極の受入孔に挿入された状態で鋼板部品などの相手方部材に電気抵抗溶接がなされる電極に関している。
【背景技術】
【０００２】  特許第４２７３１８５号公報には、軸部と、この軸部に一体に形成されたフランジと、前記軸部とは反対側のフランジ面に形成された溶着用突起を備えた軸状部品が電気抵抗溶接の対象とされ、前記軸部を電極に形成した受入孔内に挿入することが記載されている。このようにして電極に保持された軸状部品の溶着用突起が相手方部材である鋼板部品に加圧され、溶接電流が通電されて溶着される。
【先行技術文献】
【特許文献】
【０００３】
【特許文献１】特許第４２７３１８５号公報
【発明の概要】
【発明が解決しようとする課題】
【０００４】  上記特許文献１に記載されている技術の要部は、図５に示したとおりである。ここでの軸状部品１は、鉄製のプロジェクションボルトである。以下の説明において、プロジェクションボルトを単にボルトと表現する場合もある。【０００５】  プロジェクションボルト１は、雄ねじが形成された軸部２と、この軸部２と同心で軸部２と一体に形成された円形のフランジ３と、軸部２とは反対側のフランジ面に形成された溶着用突起４から構成されている。各部の寸法は、軸部２の直径が６ｍｍ、軸部２の長さが２７ｍｍ、フランジ３の直径が１４ｍｍである。【０００６】  電極全体は、符号１０５で示されている。電極本体１０６は、クロム銅のような銅合金材料で作られた円筒型の部材である。この電極本体１０６にねじ部１０７を介して端部材１０８が結合されている。そして、端部材１０８の端面が前記フランジ３に密着する平坦な電極端面１０９とされている。前記端部材１０８は、フランジ３が加圧されて摩耗が著しいために、摩耗量が所定値に達すると交換しなければならない。【０００７】  前記電極本体１０６の内側に、ウレタン樹脂やポリアミド樹脂のような合成樹脂製絶縁材料で作られたガイド筒１１４が挿入され、その内側に大径孔１１５とこれに連通する小径孔１１６が形成してある。前記端部材１０８に軸部２が挿入される受入孔１１７が設けられている。この受入孔１１７は、一端がガイド筒１１４の小径孔１１６に連通し、他端が電極端面１０９に開口している。そして、受入孔１１７の中心軸線は電極本体６の中心軸線Ｏ−Ｏと同軸になっている。【０００８】  前記受入孔１１７の内面は、絶縁構造とされている。ここでの絶縁構造は、端部材１０８にはめ込まれた絶縁筒１１８と空隙１１９によって構成されている。前記絶縁筒１１８の内径は軸部２の外形よりもわずかに大きく設定されており、また、空隙１１９の箇所の内径は軸部２の外形よりも十分に大きく設定してある。このような寸法設定により、軸部２が傾斜してもその傾斜角度はわずかなものとなり、そのために軸部２は空隙１１９の部分の内面部分に接触しないようになっている。このような構成により、空隙１１９の部分も絶縁構造を形成していることとなる。絶縁筒１１８の内径は、前記小径孔１１６の内径と同じ大きさとしてある。【０００９】  上述のような構造において、大きな加圧力が作用し溶接熱によって高温となる端部材１０８は、その耐熱性と強度を配慮してベリリユム銅のような高価な銅合金材料が使用され、しかも電極端面１０９を構成する円形の部分１１０や、ねじ部１０７が形成された円筒型の部分１１１の肉厚も十分大きな値に設定されている。このように前記円形の部分１１０や円筒型の部分１１１の肉厚を大きく設定することにより、端部材１０８全体の熱容量を大きくして溶接熱の吸熱性を高めている。【００１０】  しかしながら、端部材１０８が上述のような形状であると、円形の部分１１０の直径を上回る太い丸棒材を素材として使用するため、切削加工において捨てる部分が非常に多くなり、不経済である。また、上述のように熱容量を大きくするという方策であると、必然的に端部材１０８自体が高価なものとなり、しかも摩耗にともなって早期のうちに廃却しなけ���ばならず、きわめて不経済である。【００１１】  とくに、端部材１０８を構成する素材の体積が大きく設定され、しかも大熱容量に依存するものであるから、良好な吸熱性によって溶接熱が吸熱されて端部材１０８自体の温度は低く維持されるが、溶接回数を重ねるにしたがって端部材１０８の温度は高温域に達する。このように高温域に達するのは、端部材１０８の熱容量が大きくて放熱性に適した形状になっていないことに起因して、放熱が緩慢なものとなるためである。【００１２】  本発明は、上記の問題点を解決するために提供されたもので、交換を必要とする筒状加圧部材の薄肉化を図って溶接熱の放熱性を向上させるとともに、軽量化による原価低減を促進する筒状加圧部材を備えた電気抵抗溶接の電極の提供を目的とする。
【課題を解決するための手段】
【００１３】  請求項１記載の発明は、軸部と、この軸部に一体に形成されたフランジと、前記軸部とは反対側のフランジ面に形成された溶着用突起を備えた軸状部品が電気抵抗溶接の対象となるものであって、
円筒状の電極本体の先端部に蓋部材が設けられ、この蓋部材に前記電極本体の直径よりも小径とされた円筒状の筒状加圧部材が前記蓋部材の端面から突出した状態で結合され、前記蓋部材に対する前記筒状加圧部材の前記結合は、蓋部材に設けたテーパ孔内に筒状加圧部材に設けたテーパ部を圧入する圧入構造かまたは筒状加圧部材を蓋部材にねじ込んだねじ込み構造によって行われ、
電極本体の内側に合成樹脂材料製のガイド筒が挿入され、このガイド筒にその円周方向に冷却水の冷却通路をガイド筒の長さ方向で見た中央部よりも筒状加圧部材側に片寄せて配置し、前記ガイド筒に大径孔とこれに連通する小径孔が形成してあり、前記軸部を受け止めるストッパ部材が前記大径孔の内面に対して摺動する円柱形の主部材と、前記小径孔に進入しているとともに、軸部の端部を受け止める副部材によって構成され、主部材内に永久磁石が埋設されており、
前記筒状加圧部材の先端面が前記フランジに密着する電極端面とされ、この電極端面の中央部に前記軸部が挿入される受入孔が形成され、前記筒状加圧部材の外周部に空間中に露出している放熱部が設けられ、前記受入孔は一端がガイド筒の小径孔に連通し、他端が前記電極端面に開口しており、前記電極端面の直径は前記フランジの直径と同じかあるいは電極端面の方がわずかに大きく設定され、
前記電極本体の直径と筒状加圧部材の直径の径差や筒状加圧部材の突出長さが、鋼板部品に形成された屈曲部の縦向き板の間際に前記軸部を起立させたり、断面コ字型の鋼板部品の底部に前記溶着用突起を溶着させたりすることができるように設定されていることを特徴とする筒状加圧部材を備えた電気抵抗溶接の電極である。
【発明の効果】
【００１４】  上記構成により、溶接熱はフランジから筒状加圧部材の先端面（電極端面）に伝えられ、さらに電極本体の蓋部材へと伝えられて、冷却が促進される。このような熱流・冷却過程において、筒状加圧部材は電極本体の直径よりも小径とされたほぼ円筒状の形状であるから、肉厚の薄い箇所における熱流が非常に多くなって、この部分の温度は著しく高くなる。このように筒状加圧部材が局部的に高温状態に置かれるので、周囲の空気との温度差が著しく大きなものとなり、これによって筒状加圧部材から空間領域への放熱が活発に行われて、放熱が積極的に促進される。上述のような放熱現象は、筒状加圧部材の外周部が空間中に露出していて放熱機能部分である放熱部を形成しているので、より一層積極的に促進される。【００１５】  上述のような現象は、筒状加圧部材が薄肉で軽量化された熱容量の小さな部材であり、これが蓋部材の端面から突出して空間中に露出した状態で配置されているので、筒状部分における著しく多くの熱流によってこの部分の温度が高く維持されても、空間中に露出している放熱部から積極的な放熱がなされて電極の異常高温を防止することができるのである。換言すると、熱容量の小さな部材を空間中に露出させて、そこの高熱状態を放熱部から積極的に放熱するのである。【００１６】  このように筒型の形状とされた筒状加圧部材によって熱容量の小さな部品として電極本体に組み付けられたものであるが、上述のようにして効果的な放熱がなされる。つまり、熱容量の小さな筒状加圧部材であるとこれ自体が放熱をさせにくいものとなるが、筒状加圧部材を電極本体の端面から突出させて配置することによって、所要の放熱性を確保している。これと同時に、筒状加圧部材は電極本体よりも小径であるから、小径の丸棒材を素材として使用することができて、切削加工において捨てる部分が最小化され、経済的である。換言すると、原価低減のために熱容量を小さくせざるをえないということと、熱容量の小量化による放熱性の低下ということの相反する要件を両立させているのである。
【図面の簡単な説明】
【００１７】
【図１】電極全体の断面図である。
【図２】筒状加圧部材の部分を拡大した断面図である。
【図３】筒状加圧部材の変形例を示す側面図である。
【図４】鋼板部品が屈曲している場合の側面図である。
【図５】従来例の部分的な断面図である。
【発明を実施するための形態】
【００１８】  つぎに、本発明の筒状加圧部材を備えた電気抵抗溶接の電極を実施するための形態を説明する。
【実施例１】
【００１９】  図１〜図４は、本発明の実施例１を示す。【００２０】  まず、電気抵抗溶接の対象となる部品について説明する。【００２１】  電気抵抗溶接の対象となる軸状部品１は、鉄製のプロジェクションボルトである。以下の説明において、プロジェクションボルトを単にボルトと表現する場合もある。【００２２】  前記プロジェクションボルト１は、図２に示すように、雄ねじが形成された軸部２と、この軸部２と同心で軸部２と一体に形成された円形のフランジ３と、軸部２とは反対側のフランジ面に形成された溶着用突起４から構成されている。各部の寸法は、軸部２の直径が６ｍｍ、軸部２の長さが２７ｍｍ、フランジ３の直径が１４ｍｍである。【００２３】  つぎに、電極の構造を説明する。【００２４】  電極全体は、符号５で示されている。電極本体６は、クロム銅のような銅合金材料で作られた円筒型の部材である。この電極本体６は、取付け部材７に固定されている第１部材８と、この第１部材８にねじ部９を介して結合されている第２部材１０によって構成され、この第２部材１０の端部に蓋部材１１が一体的に形成されている。この蓋部材１１の下端面が電極本体６の端面１２とされている。【００２５】  前記第２部材１０の内側に、ウレタン樹脂やポリアミド樹脂のような合成樹脂製絶縁材料で作られたガイド筒１４が挿入され、その内側に大径孔１５とこれに連通する小径孔１６が形成してある。【００２６】  蓋部材１１の中央部に奥に向かって小径となるテーパ孔３５が設けられ、ここに円筒状すなわち管状の筒状加圧部材３６が取り付けてある。この筒状加圧部材３６は、耐熱性や耐摩耗性にすぐれた高価な材料で製作されており、ここではベリリウム銅が使用されている。この筒状加圧部材３６の上側にテーパ部３７が形成され、これを前記テーパ孔３５内に圧入して電極本体６への取付けがなされている。筒状加圧部材３６の直径は電極本体６の直径よりも小径にしてあり、蓋部材１１の端面１２から空間中に突出している。この空間中に露出した突出部分の外周部すなわち円筒面が放熱部３９とされている。【００２７】  各部の寸法は、電極本体６の直径が３５ｍｍ、筒状加圧部材３６の直径が１６ｍｍ、筒状加圧部材３６の突出長さ（端面１２から電極端面３８までの距離）が１０ｍｍである。また、筒状加圧部材３６の質量は、１９グラムである。それに対して、図５に示された端部材１０８の質量は、４０グラムである。【００２８】  前記筒状加圧部材３６の中心部に軸部２が挿入される受入孔１７が設けられている。この受入孔１７は、一端がガイド筒１４の小径孔１６に連通し、他端が先端面すなわち電極端面３８に開口している。そして、受入孔１７の中心軸線は電極本体６の中心軸線と同軸になっている。このように電極端面３８の中央部に受入孔１７が形成されることによって、筒状加圧部材３６の突出部分が肉薄の筒状部分４０とされている。そして、電極端面３８の直径は、フランジ３の直径とほぼ同じかあるいは電極端面３８の方がわずかに大きく設定してある。【００２９】  前記受入孔１７の内面は、絶縁構造とされている。ここでの絶縁構造は、筒状加圧部材３６にはめ込まれた絶縁筒１８と空隙１９によって構成されている。前記絶縁筒１８の��径は軸部２の外形よりもわずかに大きく設定されており、また、空隙１９の箇所の内径は軸部２の外形よりも十分に大きく設定してある。このような寸法設定により、軸部２が傾斜してもその傾斜角度はわずかなものとなり、そのために軸部２は空隙１９の部分の内面部分に接触しないようになっている。このような構成により、空隙１９の部分も絶縁構造を形成していることとなる。絶縁筒１８の内径は、前記小径孔１６の内径とほぼ同じ大きさとしてある。【００３０】  前記受入孔１７内に挿入された軸部２を受け止めるストッパ部材２１が、進退可能な状態でガイド筒１４内に配置されている。このストッパ部材２１は、大径孔１５の内面に対して摺動する円柱形の主部材２２と、前記小径孔１６に進入しているとともに、軸部２の端部を受け止める副部材２３によって構成されている。主部材２２内に吸引手段である永久磁石２４を埋設するために、ストッパ部材２１は主部材２２と副部材２３に２分割してあり、永久磁石２４を内部に収容してから両者は溶接部２５で一体化してある。【００３１】  前記第１部材８の内側に、ウレタン樹脂やポリアミド樹脂のような合成樹脂製絶縁材料で作られた絶縁カップ２６が下方に開放した状態で挿入され、その奥部に銅合金製の端子板２７が配置してある。端子板２７は、導通線３３によって検知電流の電源のプラス側に結線されている。この端子板２７とストッパ部材２１の間に付勢手段である圧縮コイルスプリング２８が挿入してあり、その張力は大径孔１５と小径孔１６の境界部に形成されたストッパ面２９に、主部材２２が当たることによって受け止められている。【００３２】  上記のように主部材２２がストッパ面２９に密着している状態においては、永久磁石２４の吸引力が軸部２に作用しているので、軸部２の端部は副部材２３の端面に吸着されている。そして、この状態において、前記電極端面３８とフランジ３との間に隙間Ｌが付与してある。永久磁石２４の吸引力によって、ボルト１が受入孔１７から抜け落ちないようになっている。【００３３】  電極５が進出して溶着用突起４が相手方部材３１（鋼板部品３１）に押し付けられると、それに引き続いて隙間Ｌが縮まりながら圧縮コイルスプリング２８が圧縮され、溶着用突起４の相手方部材３１に対する加圧力が増大し、隙間Ｌがゼロになる。すなわち、フランジ３が電極端面３８に密着する。さらに加圧されて加圧力が所定値に達すると、溶接電流が通電されて溶着用突起４が鋼板部品３１に溶接される。【００３４】  フランジ３が電極端面３８に密着すると、検知電流が導通線３３、端子板２７、圧縮コイルスプリング２８、ストッパ部材２１、軸部２、フランジ３、電極端面３８、電極本体６を経て第１部材８に結線されたマイナス側の導通線３４に流れるようになっている。このようにしてボルト１が受入孔１７内に挿入されていることが確認される。なお、符号１３は固定電極である。【００３５】  ガイド筒１４にその円周方向に冷却水の冷却通路４２が設けられ、入口通路管４３から入った冷却水が出口通路管４４から出るようになっている。この冷却通路４２は、ガイド筒１４の長さ方向で見た中央部よりも筒状加圧部材３６側に片寄せて配置してあり、こうすることによって筒��加圧部材３６からの溶接熱を奪いやすくしている。【００３６】  前記付勢手段は圧縮コイルスプリング２８であるが、これに換えて圧縮空気の圧力をストッパ部材２１の上面に作用させて、空気ばねとして機能させることも可能である。【００３７】  つぎに、冷却過程について説明する。【００３８】  溶着用突起４が溶融して発生する溶接熱は、主にフランジ３から電極端面３８に伝えられる。この熱は、直径方向の厚さが小さくされた筒状部分４０、すなわち熱容量が小さくされた筒状部分４０を経て蓋部材１１に流れてゆく。筒状加圧部材３６は筒状で薄肉構造であるからこの部分の温度は著しく高くなるが、放熱部３９が空間中に露出しているのでこの放熱部３９から積極的な放熱がなされる。このときに筒状部分４０と空間部の温度差が著しく大きいので、空気中への放熱が積極的になされる。【００３９】  このように空気中に放熱された後、蓋部材１１から電極本体６に伝えられた熱や、軸部２からストッパ部材２１に伝えられた熱は、冷却通路４２を流れる冷却水によって奪われる。【００４０】  また、電極端面３８の直径は、フランジ３の直径とほぼ同じかあるいは電極端面３８の方がわずかに大きく設定してあるので、フランジ３からの溶接熱が確実に筒状部分４０に伝えられ、上述の筒状部分４０からの放熱が効果的に遂行される。【００４１】  つぎに、筒状加圧部材の変形例を説明する。【００４２】  図３（Ａ）に示す筒状加圧部材３６は、前記テーパ部３７に換えて雄ねじ部４５にしたものであり、また、放熱部３９の放熱面積を大きくするために、円周方向の放熱溝４６が複数（３本）設けられている。図３（Ｂ）に示す筒状加圧部材３６は、放熱部３９に複数（２枚）の冷却フィン４７を円周方向に設けたものである。さらに、図３（Ｃ）に示す筒状加圧部材３６は、ボルト１が長くなった場合に使用するものであり、筒状部分４０が長尺化されている。【００４３】  以上に説明した実施例１の作用効果は、つぎのとおりである。【００４４】  上記構成により、溶接熱はフランジ３から筒状加圧部材３６の先端面３８（電極端面３８）に伝えられ、さらに電極本体６の蓋部材１１へと伝えられて、冷却が促進される。このような熱流・冷却過程において、筒状加圧部材３６は電極本体６の直径よりも小径とされたほぼ円筒状の形状であるから、肉厚の薄い箇所すなわち筒状部分４０における熱流が非常に多くなって、この部分４０の温度は著しく高くなる。このように筒状加圧部材３６が局部的に高温状態に置かれるので、周囲の空気との温度差が著しく大きなものとなり、これによって筒状加圧部材３６から空間領域への放熱が活発に行われて、放熱が積極的に促進される。上述のような放熱現象は、筒状加圧部材３６の外周部が空間中に露出していて放熱機能部分である放熱部３９を形成しているので、より一層積極的に促進される。【００４５】  上述のような現象は、筒状加圧部材３６が薄肉で軽量化された熱容量の小さな部材であり、これが蓋部材１１の端面１２から突出して空間中に露出した状態で配置されているので、筒状部分４０における著しく多くの熱流によってこの部分の温度が高く維持されても、空間中に露出している放熱部３９から積極的な放熱がなされて電極の異常高温を防止することができるのである。換言すると、熱容量の小さな部材４０を空間中に露出させて、そこの高熱状態を放熱部３９から積極的に放熱するのである。【００４６】  このように筒型の形状とされた筒状加圧部材３６によって熱容量の小さな部品として電極本体６に組み付けられたものであるが、上述のようにして効果的な放熱がなされる。つまり、熱容量の小さな筒状加圧部材３６であるとこれ自体が放熱をさせにくいものとなるが、筒状加圧部材３６を電極本体６の端面から突出させて配置することによって、所要の放熱性を確保している。これと同時に、筒状加圧部材３６は電極本体６よりも小径であるから、小径の丸棒材を素材として使用することができて、切削加工において捨てる部分が最小化され、経済的である。換言すると、原価低減のために熱容量を小さくせざるをえないということと、熱容量の小量化による放熱性の低下ということの相反する要件を両立させているのである。【００４７】  さらに、電極本体６の直径よりも小径とされた筒状加圧部材３６が電極本体６の端面１２から突き出ているので、狭い箇所にボルト１を溶接することができる。図４に示すように、鋼板部品３１に屈曲部４９が形成されている場合、その縦向き板５０の間際にボルト１を溶接することができる。また、図示していないが、断面コ字型の鋼板部品の底部にボルト１を溶接することも可能である。
【産業上の利用可能性】
【００４８】  上述のように、本発明の電極によれば、交換を必要とする筒状加圧部材の薄肉化を図って溶接熱の放熱性を向上させるとともに、軽量化による原価低減を促進する筒状加圧部材を備えたものである。したがって、自動車の車体溶接工程や、家庭電化製品の板金溶接工程などの広い産業分野で利用できる。
【符号の説明】
【００４９】  １    軸状部品、プロジェクションボルト
２    軸部
３    フランジ
４    溶着用突起
５    電極全体
６    電極本体
１１    蓋部材
１２    端面
１７    受入孔
３１    相手方部材、鋼板部品
３５    テーパ孔
３６    筒状加圧部材
３７    テーパ部
３８    先端面、電極端面
３９    放熱部
４０    筒状部分
４５    雄ねじ部
【図１】
0005773303.tif 000002
【図２】
0005773303.tif 000003
【図３】
0005773303.tif 000004
【図４】
0005773303.tif 000005
【図５】
0005773303.tif 000006